【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系で形成された被写体の光学像を撮像手段で撮像して得られた、リフォーカス処理が可能な撮像データを処理する画像処理装置であって、
リフォーカス処理が可能な撮像データを取得する撮像データ取得手段と、
フォーカスレンズの位置の情報を取得するレンズ情報取得手段と、
取得したフォーカスレンズの位置の情報に基づいて、取得した撮像データの表示画像の焦点面の位置を決定する焦点面決定手段と、
決定された位置の焦点面におけるリフォーカス画像の画像データを、撮像データから生成するリフォーカス処理手段と、
生成されたリフォーカス画像の画像データに基づいて、取得した撮像データの表示データを生成する表示データ生成手段と
を備えることを特徴とする画像処理装置。
【請求項２】
前記焦点面決定手段は、前記取得されたフォーカスレンズの位置に対応する焦点面の位置の変化量に基づいて、前記表示画像の焦点面の位置を第１の焦点面の位置と第２の焦点面の位置と第３の焦点面の位置のいずれかに決定し、前記第１の焦点面は、前記変化量の平均に基づく焦点面であり、前記第２の焦点面は前記フォーカスレンズの位置に対応する焦点面であり、前記第３の焦点面は前記変化量よりも急峻な変化量をもつ焦点面であることを特徴とする請求項１に記載の画像処理装置。
【請求項３】
前記フォーカスレンズの位置に対応する焦点面の変化量は、前記表示画像のフレームの前もしくは後の少なくとも一方の所定数のフレームもしくは所定の時間期間における前記フォーカスレンズの位置に対応する焦点面の位置の変化量であり、前記焦点面決定手段は、前記変化量が所定値より小さい場合は、前記表示画像の焦点面を前記第１の焦点面とし、前記所定値より大きい場合は、前記表示画像の焦点面を前記第２の焦点面と前記第３の焦点面のいずれかとすることを特徴とする請求項２に記載の画像処理装置。
【請求項４】
前記焦点面決定手段は、前記所定値より大きい変化量が連続している場合は、前記表示画像の焦点面を前記第１の焦点面とすることを特徴とする請求項３に記載の画像処理装置。
【請求項５】
前記焦点面決定手段は、前記所定値より大きい変化量が連続している場合は、前記連続した変化量の差分と変化の方向に基づいた前記連続する変化量の相関に従って前記表示画像の焦点面を前記第１の焦点面の位置と第２の焦点面の位置と第３の焦点面の位置のいずれかに決定することを特徴とする請求項４に記載の画像処理装置。
【請求項６】
前記焦点面決定手段は、前記変化量の差分が所定量以下で、かつ前記変化の方向が同じ場合に、前記表示画像の焦点面を前記第２の焦点面の位置とし、それ以外の場合には、前記表示画像の焦点面を前記第１の焦点面とすることを特徴とする請求項５に記載の画像処理装置。
【請求項７】
前記焦点面決定手段は、さらに前記撮影光学系の情報を取得し、前記撮影光学系の情報に基づいて前記リフォーカス処理におけるリフォーカス可能な範囲を決定し、前記決定されたリフォーカス可能な範囲に基づいて、前記第１の焦点面の位置と前記第３の焦点面の位置を制限することを特徴とする請求項２乃至６のいずれか一項に記載の画像処理装置。
【請求項８】
前記焦点面決定手段は、前記決定された第１の焦点面の位置もしくは前記第３の焦点面の位置が前記リフォーカス可能な範囲にない場合は、前記決定された第１の焦点面の位置もしくは前記第３の焦点面の位置を前記リフォーカス可能な範囲の限界の位置とすることを特徴とする請求項７に記載の画像処理装置。
【請求項９】
前記撮像データ取得手段は、記録媒体から再生された、リフォーカス処理が可能な撮像データを取得することを特徴とする請求項１乃至８のいずれか一項に記載の画像処理装置。
【請求項１０】
フォーカスレンズを含む撮影光学系で形成された被写体の光学像を撮像手段で撮像して得られた、リフォーカス処理が可能な撮像データを処理する画像処理装置の制御方法において、
前記リフォーカス処理が可能な撮像データを取得する撮像データ取得ステップと、
前記フォーカスレンズの位置の情報を取得するレンズ情報取得ステップと、
前記取得したフォーカスレンズの位置の情報に基づいて、前記取得した撮像データの表示画像の焦点面の位置を決定する焦点面決定ステップと、
前記決定された位置の焦点面におけるリフォーカス画像の画像データを、前記撮像データから生成するリフォーカス処理ステップと、
前記生成されたリフォーカス画像の画像データに基づいて、前記取得した撮像データの表示データを生成する表示データ生成ステップと
を備え、
前記焦点面決定ステップは、前記取得されたフォーカスレンズの位置に対応する焦点面の位置の変化量に基づいて、前記表示画像の焦点面の位置を第１の焦点面の位置と第２の焦点面の位置のいずれかに決定するステップを含み、前記第１の焦点面は、前記変化量の平均に基づく焦点面であり、前記第２の焦点面は前記フォーカスレンズの位置に対応する焦点面であることを特徴とする制御方法。
【請求項１１】
フォーカスレンズを含む撮影光学系で形成された被写体の光学像を撮像手段で撮像して得られた、リフォーカス処理が可能な撮像データを処理する画像処理装置を制御するプログラムであり、
コンピュータを、
前記リフォーカス処理が可能な撮像データを取得する撮像データ取得手段、
前記フォーカスレンズの位置の情報を取得するレンズ情報取得手段、
前記取得したフォーカスレンズの位置の情報に基づいて、前記取得した撮像データの表示画像の焦点面の位置を決定する焦点面決定手段、前記焦点面決定手段は、前記取得されたフォーカスレンズの位置に対応する焦点面の位置の変化量に基づいて、前記表示画像の焦点面の位置を第１の焦点面の位置と第２の焦点面の位置のいずれかに決定し、前記第１の焦点面は、前記変化量の平均に基づく焦点面であり、前記第２の焦点面は前記フォーカスレンズの位置に対応する焦点面であり、
前記決定された位置の焦点面におけるリフォーカス画像の画像データを、前記撮像データから生成するリフォーカス処理手段、
前記生成されたリフォーカス画像の画像データに基づいて、前記取得した撮像データの表示データを生成する表示データ生成手段
として機能させるためのプログラム。
【請求項１２】
請求項１１のプログラムを記録したコンピュータが読み取り可能な記憶媒体。
【請求項１３】
コンピュータを、請求項１乃至９のいずれか一項に記載された画像処理装置の各手段として機能させるプログラム。
【請求項１４】
コンピュータを、請求項１乃至９のいずれか一項に記載された画像処理装置の各手段として機能させるプログラムを格納した記憶媒体。
【請求項１５】
フォーカスレンズを含む撮影光学系で形成された被写体の光学像を撮像してリフォーカス処理が可能な撮像データを生成する撮像手段と、
前記フォーカスレンズの位置の情報を取得するレンズ情報取得手段と、
前記取得したフォーカスレンズの位置の情報に基づいて、前記撮像手段で生成された撮像データの表示画像の焦点面の位置を決定する焦点面決定手段と、
前記決定された位置の焦点面におけるリフォーカス画像の画像データを、前記撮像データから生成するリフォーカス処理手段と、
前記生成されたリフォーカス画像の画像データに基づいて、前記生成された撮像データの表示データを生成する表示データ生成手段と、
前記表示データを表示する表示手段と
を備え、
前記焦点面決定手段は、前記取得されたフォーカスレンズの位置に対応する焦点面の位置の変化量に基づいて、前記表示画像の焦点面の位置を第１の焦点面の位置と第２の焦点面の位置のいずれかに決定し、前記第１の焦点面は、前記変化量の平均値に基づく焦点面であり、前記第２の焦点面は前記フォーカスレンズの位置に対応する焦点面であることを特徴とする撮像装置。